(57)【特許請求の範囲】
【請求項１】
遊技球が流下可能な遊技領域が前側に設けられる板部材および前側に開口する箱状に形成されて該板部材の裏側に配設された裏ユニットを備える遊技盤と、該板部材に配設され、遊技領域を流下する遊技球が入賞可能な入賞口が上部に設けられた枠状の装飾部材と、前記裏ユニットの裏側に配設され、各種図柄を可変表示可能な表示部を装飾部材の窓口に後方から臨ませた図柄表示装置と、前記裏ユニットに配設されて動作により演出を行なう可動体と、機裏側に設けられて遊技球を回収する球回収部とを備えた遊技機において、
前記板部材における装飾部材の側方に設けられた可視部と、
前記裏ユニットにおける前記可視部の裏側に臨む位置に配設され、該裏ユニットの後壁から前側に離間するリフレクタとして機能する基板ケースと、
前記基板ケースに収容され、前記可視部に向けて光を照射する発光体が配設された発光基板と、
前側に開口する樋状に形成され、前端を前記基板ケースの裏面に当接した状態で該基板ケースの裏面における装飾部材から離間する側端縁に沿って上下方向に延在するよう配設され、該基板ケースの裏面との間に前記球回収部に連通する球通路を形成する縦球通路部と、
前記縦球通路部の上端に設けられて球通路に前記入賞口を連通するよう接続する上球通路部とを備え、
前記縦球通路部の裏面と裏ユニットの後壁との間、および前記縦球通路部と装飾部材との間であって、前記基板ケースの裏面と裏ユニットの後壁との間に、前記可動体を収容可能な空間を画成すると共に、
前記縦球通路部は、該縦球通路部における球通路の外側に設けたボス部を介して前記基板ケースの裏面にネジ止め固定されるよう構成され、
前記基板ケースの裏面から後方に突出して前記発光基板を該基板ケースに固定するネジが螺挿されるネジ孔を形成したボス部が、前記球通路内に遊技球が接触可能に突出している
ことを特徴とする遊技機。
【請求項２】
前記球回収部に下端で連通する下球通路を画成する下球通路部が、前記裏ユニットの側壁内面および下壁内面に沿って設けられ、該下球通路部の上端に、前記縦球通路部の下端に形成した球出口に連通可能な球入口が形成されると共に、
前記縦球通路部には、前記下球通路部に設けた係合部に係合して縦球通路部の球出口と下球通路部の球入口とを整合するよう位置決めする被係合部を設けた請求項１記載の遊技機。
【発明の詳細な説明】
【技術分野】
【０００１】
この発明は、遊技盤の遊技領域に配設した枠状の装飾部材の上部に、遊技領域を流下する遊技球が入賞可能な入賞口を設けた遊技機に関するものである。
【背景技術】
【０００２】
代表的な遊技機であるパチンコ機は、前面に遊技領域が画成される板部材と、該板部材の裏側に配設された裏ユニットとから遊技盤が構成されると共に、板部材の略中央位置に枠状の装飾部材が配設されて、該装飾部材の窓口から裏ユニットの裏側に配設した液晶式やドラム式等の図柄表示装置を前側に臨ませると共に、該遊技盤における装飾部材の下方位置に、パチンコ球の入賞により図柄表示装置での変動を開始させる始動入賞装置や大当り時に入賞口を開放する特別入賞装置を配設するよう構成されたものが多数提案されている。この種のパチンコ機では、前記遊技領域に打ち出されたパチンコ球が前記始動入賞装置に入賞することにより、前記図柄表示装置で図柄変動ゲームに伴うリーチ演出等の各種の遊技演出がなされ、該図柄表示装置に図柄が所定の組み合わせで停止することにより所謂大当りが発生し、前記特別入賞装置の入賞口が開放して多数の賞球を獲得し得るようになっている(例えば、特許文献１参照)。
【０００３】
特許文献１のパチンコ機では、遊技領域に対してパチンコ球が打ち出される装飾部材の上部に、前記図柄表示装置での大当り時に入賞口を開放する別の特別入賞装置を配設し、遊技の興趣を向上するようにしている。そして、別の特別入賞装置の入賞口に入賞したパチンコ球は、装飾部材の内周縁部に設けた球排出通路を流下して機裏側の球回収部に排出されるようになっている。
【先行技術文献】
【特許文献】
【０００４】
【特許文献１】特願２００８−２９６９２５号公報
【発明の概要】
【発明が解決しようとする課題】
【０００５】
近年では、視覚的な演出効果を高めるために、図柄表示装置における表示部の前側を移動する可動体を備えた演出装置を裏ユニットに配設し、該可動体を図柄表示装置で行なわれる遊技演出に合わせて動作させることが行なわれている。この場合に、特許文献１に開示のパチンコ機では、装飾部材の内周縁部に形成した前記球排出通路と、機裏側に設けた球回収部とを連通する連絡通路が、窓口に近接する装飾部材の側部裏側で前後方向に延在しているため、図柄表示装置における表示部の前側、すなわち装飾部材の窓口内で移動する可動体は連絡通路と干渉しない範囲でしか移動させることができず、可動体の移動範囲や寸法が規制されたり、該可動体の配設位置が限定される難点が指摘される。
【０００６】
すなわち本発明は、従来の技術に係る遊技機に内在する前記課題に鑑み、これを好適に解決するべく提案されたものであって、裏ユニットに配設する可動体の移動範囲や寸法等の設計の自由度が高い遊技機を提供することを目的とする。
【課題を解決するための手段】
【０００７】
前記課題を克服し、所期の目的を達成するため、本願の請求項１に係る発明は、
遊技球が流下可能な遊技領域(18a)が前側に設けられる板部材(18)および前側に開口する箱状に形成されて該板部材(18)の裏側に配設された裏ユニット(19)を備える遊技盤(17)と、該板部材(18)に配設され、遊技領域(18a)を流下する遊技球が入賞可能な入賞口(29a)が上部に設けられた枠状の装飾部材(26)と、前記裏ユニット(19)の裏側に配設され、各種図柄を可変表示可能な表示部を装飾部材(26)の窓口(26a)に後方から臨ませた図柄表示装置(13)と、前記裏ユニット(19)に配設されて動作により演出を行なう可動体(46a)と、機裏側に設けられて遊技球を回収する球回収部とを備えた遊技機において、
前記板部材(18)における装飾部材(26)の側方に設けられた可視部(53b)と、
前記裏ユニット(19)における前記可視部(53b)の裏側に臨む位置に配設され、該裏ユニット(19)の後壁(44)から前側に離間するリフレクタとして機能する基板ケース(73)と、
前記基板ケース(73)に収容され、前記可視部(53b)に向けて光を照射する発光体(71)が配設された発光基板(72)と、
前側に開口する樋状に形成され、前端を前記基板ケース(73)の裏面に当接した状態で該基板ケース(73)の裏面における装飾部材(26)から離間する側端縁に沿って上下方向に延在するよう配設され、該基板ケース(73)の裏面との間に前記球回収部に連通する球通路(81a)を形成する縦球通路部(81)と、
前記縦球通路部(81)の上端に設けられて球通路(81a)に前記入賞口(29a)を連通するよう接続する上球通路部(82)とを備え、
前記縦球通路部(81)の裏面と裏ユニット(19)の後壁(44)との間、および前記縦球通路部(81)と装飾部材(26)との間であって、前記基板ケース(73)の裏面と裏ユニット(19)の後壁(44)との間に、前記可動体(46a)を収容可能な空間(S1)を画成すると共に、
前記縦球通路部(81)は、該縦球通路部(81)における球通路(81a)の外側に設けたボス部を介して前記基板ケース(73)の裏面にネジ止め固定されるよう構成され、
前記基板ケース(73)の裏面から後方に突出して前記発光基板(72)を該基板ケース(73)に固定するネジ(79)が螺挿されるネジ孔(78a)を形成したボス部(78)が、前記球通路(81a)内に遊技球が接触可能に突出していることを特徴とする。
【０００８】
請求項１の発明によれば、入賞口に接続する球通路を画成する縦球通路部を、装飾部材の側方に臨む基板ケースの裏面における装飾部材から離間する端縁に沿って配設して、装飾部材の裏側に可動体を収容可能な空間を画成するようにしたから、裏ユニットに配設する可動体の移動範囲、寸法および配設位置等の設計の自由度を高くすることができる。すなわち、大型の可動体を配設して、該可動体を図柄表示装置の表示部の前側に臨む位置と、表示部の前側から退避して装飾部材の裏側に臨む位置との間で可動体を移動させることができ、インパクトのある演出を行なうことが可能となる。また、基板ケースと縦球通路部とで球通路を画成するようにしたから、縦球通路部のみで球通路を画成する場合に比べ、基板ケースの裏面からの縦球通路部の突出寸法を抑制し得る。更に、発光基板を基板ケースに固定するためのボス部を利用して球通路を流下する遊技球の勢いを弱めることができるから、遊技球の勢いを弱めるための専用の部分を設ける必要はなく、縦球通路部自体の構成を簡略化し得る。
【０００９】
請求項２に係る発明では、前記球回収部に下端で連通する下球通路(84c)を画成する下球通路部(84)が、前記裏ユニット(19)の側壁内面および下壁内面に沿って設けられ、該下球通路部(84)の上端に、前記縦球通路部(81)の下端に形成した球出口(81b)に連通可能な球入口(84a)が形成されると共に、
前記縦球通路部(81)には、前記下球通路部(84)に設けた係合部(85)に係合して縦球通路部(81)の球出口(81b)と下球通路部(84)の球入口(84a)とを整合するよう位置決めする被係合部(83)を設けたことを要旨とする。
請求項２の発明によれば、縦球通路部の球出口と下球通路部の球入口とを確実に整合して接続することができ、球通路内での球詰りの発生を防止し得る。
【発明の効果】
【００１１】
本発明に係る遊技機によれば、裏ユニットに配設する可動体の移動範囲、寸法および配設位置等の設計の自由度を高くし得る。
【図面の簡単な説明】
【００１２】
【図１】本発明の好適な実施例に係るパチンコ機を示す正面図である。
【図２】実施例に係る遊技盤を示す正面図である。
【図３】実施例に係る可動演出装置を配設した裏ユニットを前側から視た状態で示す概略斜視図である。
【図４】実施例に係る装飾部材に配設された第２の特別入賞装置を示す要部正面図である。
【図５】実施例に係る遊技盤における要部正面図である。
【図６】実施例に係る装飾部材に配設された第２の特別入賞装置を示す縦断側面図である。
【図７】実施例に係る遊技盤の縦断側面図である。
【図８】実施例に係る遊技盤における第２の特別入賞装置や左可動演出装置の配設部位を示す要部横断底面図である。
【図９】実施例に係る裏ユニットから側部発光装置の基板ケースを取外した状態で示す要部正面図である。
【図１０】実施例に係る裏ユニットの横断平面図であって、下可動体は待機位置に臨んでいる。
【図１１】図１０における左側部分を拡大して示す裏ユニットの横断平面図である。
【図１２】実施例に係る裏ユニットから左可動演出装置および下球通路部を取外した状態で示す要部概略斜視図である。
【図１３】実施例に係る裏ユニットに配設されている左可動演出装置を示す正面図である。
【図１４】実施例に係る裏ユニットに配設されている左可動演出装置を示す概略斜視図である。
【図１５】実施例に係る裏ユニットを左対向面部で縦断して左可動体と中継基板との配線の接続状態を示す要部側面図である。
【図１６】実施例に係る裏ユニットを左対向面部で縦断して中継基板の取付け部分を示す要部側面図である。
【図１７】実施例に係る左可動体を前側から視た状態で示す分解斜視図である。
【図１８】実施例に係る左可動体を後側から視た状態で示す分解斜視図である。
【図１９】実施例に係る側部発光装置を前側から視た状態で示す分解斜視図である。
【図２０】実施例に係る球排出通路部材、球通路部材および下球通路部の関係を示す概略背面図である。
【発明を実施するための形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１４】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤１７(図２参照)が着脱可能に保持された本体枠としての中枠１２が開閉および着脱可能に組付けられて、該遊技盤１７の裏側に対して、各種図柄を変動表示可能な図柄表示装置１３が着脱し得るよう配設されている。また、前記中枠１２の前面側には、前記遊技盤１７を透視保護するガラス板を備えた装飾枠としての前枠１４が開閉可能に組付けられると共に、該前枠１４の下方にパチンコ球を貯留する下球受け皿１５が開閉可能に組付けられる。なお、実施例では、前記前枠１４の下部位置に、パチンコ球を貯留する上球受け皿１６が一体的に組付けられており、前枠１４の開閉に合わせて上球受け皿１６も一体的に開閉するよう構成される。また、前記中枠１２の裏側には、遊技に供されたパチンコ球を遊技店側に設けた球回収設備に排出する球回収部(図示せず)が設けられている。
【００１５】
(遊技盤について)
前記中枠１２に配設される前記遊技盤１７は、図２,図３または図７に示すように、前面(盤面)にパチンコ球が流下可能な遊技領域１８ａが画成され、アクリルやポリカーボネート等の光透過性の合成樹脂材からなる平板状の透明板(板部材)１８と、該透明板１８の裏面に組付けられて前記図柄表示装置１３が着脱可能に配設されると共に、何れも後述する可動演出装置４６,４７,４８や発光装置４９,５０(図３,図１０参照)が配設される合成樹脂材で形成された裏ユニット１９とから構成され、該裏ユニット１９に形成された前後に開口する開口部１９ａを介して図柄表示装置１３の表示部を前面側から視認し得るよう構成されている。裏ユニット１９に形成される開口部１９ａは、図３に示す如く、該裏ユニット１９の上下および左右幅の大部分が開口する大型の開口部である。ここで、前記透明板１８および裏ユニット１９は、外郭形状が略整合する大きさおよび形状に形成されて、該透明板１８と裏ユニット１９とを組付けた状態で透明板１８の裏面を裏ユニット１９で全面的に覆うよう構成される。
【００１６】
(透明板について)
図１または図２に示すように、前記透明板１８の前面には、円弧状に形成した案内レール２０が配設されると共に、該案内レール２０の右方位置に、左端縁が右方に凹む円弧状に形成した第１盤面飾り部材２１が配設されている。そして、前記案内レール２０および第１盤面飾り部材２１により前記遊技領域１８ａが略円形状に画成され、該遊技領域１８ａに、前記中枠１２に配設された図示しない打球発射装置から発射されたパチンコ球が遊技領域１８ａ内に打ち出されて、該遊技領域１８ａ内をパチンコ球が流下して遊技が行なわれるようになっている。なお、打球発射装置から発射されたパチンコ球は、透明板１８の下側から左側に案内レール２０で案内されて、遊技領域１８ａの左上部に打ち出される。また、前記透明板１８の遊技領域１８ａ内には、多数の遊技釘(図示せず)が植設されており、該遊技領域１８ａを流下するパチンコ球は、遊技釘との接触により流下方向が不規則に変更させられるよう構成してある。
【００１７】
前記透明板１８の盤面には、前記案内レール２０の左方(遊技領域１８ａの外側)の上下位置に第２盤面飾り部材２２が夫々が配設されている。前記第１および第２盤面飾り部材２１,２２の夫々は、不透明な合成樹脂材から形成されており、透明板１８において該第１および第２盤面飾り部材２１,２２が配設された部分を除いた領域(すなわち遊技領域１８ａ)で裏側(裏ユニット１９)を視認し得るよう構成されている。すなわち、前記裏ユニット１９に配設される可動演出装置４６,４７,４８や発光装置４９,５０は、透明板１８を介して前側から視認し得るようになっている。実施例では、透明板１８に配設される後述する始動入賞装置２３、第１の特別入賞装置２４、普通入賞装置２５、装飾部材２６等の部品における不透明な部分を除く透明板１８の略全体が可視部となっている。
【００１８】
前記透明板１８には、後述する装飾部材２６の配設位置より下方位置に、前記遊技領域１８ａを流下するパチンコ球が入賞可能な始動入賞装置２３や第１の特別入賞装置２４が配設されており、始動入賞装置２３の始動入賞口へのパチンコ球の入賞を契機として、所定数のパチンコ球が賞球として前記上下の球受け皿１５,１６に払い出されると共に前記図柄表示装置１３の表示部において図柄変動演出が開始されるようになっている。また、前記第１の特別入賞装置２４は、入賞口２４ａが開閉扉２４ｂで常には閉鎖されており、前記図柄表示装置１３での図柄変動の結果、図柄表示装置１３に所定の図柄組み合わせ(例えば同一図柄の三つ揃い等)で図柄が停止表示されることで所謂「大当り」が発生し、これにより開閉扉２４ｂが開放するよう作動制御されて、入賞口２４ａへの入賞により多数の賞球を獲得し得るようになっている。なお、透明板１８には、第１の特別入賞装置２４の左右両側に普通入賞装置２５が夫々が配設されている。
【００１９】
(装飾部材について)
前記透明板１８には、前後に貫通する貫通孔が形成されており、該貫通孔に対して前後に開口する枠状の装飾部材２６が嵌め込まれるようにして着脱自在に配設される。そして、前記裏ユニット１９の開口部１９ａから臨む前記図柄表示装置１３の表示部は、装飾部材２６における前後に開口する窓口２６ａを介して透明板１８(遊技盤１７)の前側に露出して、該図柄表示装置１３の表示部で展開される図柄変動演出を前側から視認し得るようになっている。
【００２０】
前記装飾部材２６には、上縁部から左右両縁部に亘り、透明板１８の前面より前方に突出する円弧状の庇状部２６ｂが設けられており、前記遊技領域１８ａに打ち出されたパチンコ球を外周部の庇状部２６ｂで案内し得ると共に、該パチンコ球が装飾部材２６の窓口２６ａを横切って流下するのを庇状部２６ｂで規制している。また装飾部材２６には、図２に示す如く、窓口２６ａの下側に、光透過性のステージ２７が配設されると共に、窓口２６ａの左側に、遊技領域１８ａに開口して該遊技領域１８ａを流下するパチンコ球を取込んでステージ２７に案内する球導入部２８が設けられ、該球導入部２８からステージ２７に通出されたパチンコ球は、ステージ２７上を左右に転動した後に、前記各入賞装置２３,２４,２５が配設されている遊技領域１８ａに排出される。
【００２１】
前記装飾部材２６は、透明な(光透過性の)合成樹脂材料で形成された本体部に、めっき等により不透明とされた各種装飾体を部分的に配設して構成されて、装飾体が配設されていない部分においては本体部を透して後側が前側から視認し得るよう構成されている。そして実施例では、装飾部材２６における左上部分、すなわち前記球導入部２８の上端から後述する第２の特別入賞装置２９の配設位置までの間に亘って装飾体が配設されない透明部分２６ｃが設定されて、該透明部分２６ｃを透して後述する左可動体５１を前側から視認し得るようにしてある(図５参照)。
【００２２】
(第２の特別入賞装置について)
また、図１,図２,図４または図５に示すように、前記装飾部材２６の上部位置には、前記図柄表示装置１３での図柄の変動結果に応じて入賞口２９ａが開放することで前記遊技領域１８ａを流下するパチンコ球が入賞可能な第２の特別入賞装置(入賞装置)２９が設けられている。第２の特別入賞装置２９は、前記装飾部材２６の上部位置に、左方向に開口するよう開設された入賞口２９ａをフラップ状の開閉部材２９ｂにより閉鎖するよう構成されており、該開閉部材２９ｂが左方向に傾倒することで、該入賞口２９ａが遊技領域１８ａ内に開口するようになっている。入賞口２９ａは、左方、後方および下方に開口する透明な口画成部材３０を装飾部材２６の前面に取付けることで画成され、該口画成部材３０の下端に、後述する球排出通路部材３６の一端が接続される。また、口画成部材３０の左側に位置する開閉部材２９ｂは、装飾部材２６に軸を介して回動自在に枢支されると共に、該軸から偏倚した位置に連繋ピン(図示せず)が後方に突出するように設けられ、該連繋ピンを後述する駆動手段３１により作動することで開閉部材２９ｂが開閉されるよう構成される。
【００２３】
前記第２の特別入賞装置２９の入賞口２９ａは、前記開閉部材２９ｂにより常には閉鎖されており(図４参照)、前記図柄表示装置１３での図柄変動の結果、前記第１の特別入賞装置２４の開閉扉２４ｂを開放させる前記所定の図柄組み合わせ以外の特定の図柄組み合わせ(例えば同一図柄の三つ揃い等)で図柄が図柄表示装置１３に停止表示されることで発生する「大当り」により、該開閉部材２９ｂを開放するよう駆動手段３１が作動制御されて、入賞口２９ａへのパチンコ球の入賞を許容するようになっている。そして、前記第２の特別入賞装置２９の入賞口２９ａに入賞したパチンコ球を、前記口画成部材３０に配設した球検出センサ３２(図６参照)が検出することで、遊技者が多数の賞球を獲得し得るようになっている。すなわち、実施例に係るパチンコ機１０では、「大当り」の発生時に開放可能な２つの特別入賞装置２４,２９が配設されており、「大当り」の発生条件に応じて、第１の特別入賞装置２４および第２の特別入賞装置２９の何れかの入賞口２４ａ,２９ａが開放されるようになっている。ここで、前記第２の特別入賞装置２９は、装飾部材２６の左上部位置に設けられていることから、前記第１の特別入賞装置２４に較べて、遊技領域１８ａの左上部に打ち出されたパチンコ球が入賞し易くなっている。
【００２４】
前記第２の特別入賞装置２９の開閉部材２９ｂを開閉作動する前記駆動手段３１は、図４または図６に示す如く、駆動源としてのソレノイド３３と、該ソレノイド３３におけるプランジャ３３ａの延出端に連結された連繋部材３４とを備え、該連繋部材３４が開閉部材２９ｂに設けた前記連繋ピンに連繋されている。駆動手段３１は、前記装飾部材２６における前記口画成部材３０の配設部分に対応する裏側において、長手方向を上下方向に沿わせた縦向きに設置されると共に、ソレノイド３３の下側に設けられる連繋部材３４が連繋ピンに連繋される。すなわち、ソレノイド３３は、プランジャ３３ａの進退方向が上下方向に沿うように倒立姿勢(ソレノイド本体からプランジャ３３ａが下向きに突出する姿勢)で配置されると共に、プランジャ３３ａの下端に連結した連繋部材３４が連繋ピンに連繋されている。ソレノイド３３は、非励磁状態ではプランジャ３３ａが圧縮コイルバネ３５によって常には下方(ソレノイド本体から延出する方向)に向けて付勢されて、この状態で前記連繋部材３４に連繋ピンを介して連繋されている開閉部材２９ｂは入賞口２９ａを閉成する状態に保持される。そして、ソレノイド３３を励磁することでプランジャ３３ａが圧縮コイルバネ３５の弾力に抗して上方(ソレノイド本体内に引き込まれる方向)に引き上げられることで、連繋部材３４と連繋ピンとの連繋作用下に開閉部材２９ｂが傾動して入賞口２９ａを開放する状態となるよう構成される。なお、装飾部材２６における前記駆動手段３１の前側に臨む部分には、ダイヤモンドカットや梨子地加工等の各種の乱反射加工等を施して、後側の駆動手段３１が前側から視認され難くしてある。また、装飾部材２６に、不透明なシールを貼着したり不透明な塗料を塗布する等によって、後側に臨む駆動手段３１が装飾部材２６を透しては完全に見えないようにしてもよい。
【００２５】
前記連繋部材３４に対する連繋ピンの連繋構造は、ソレノイド３３の励磁により連繋部材３４を正規に引き上げる動作による開閉部材２９ｂの開放動作は許容するが、ソレノイド３３の非励磁状態において開閉部材２９ｂを強制的に開放するよう回動する場合には該開閉部材２９ｂの開放動作を規制するよう構成されている。すなわち、開閉部材２９ｂを不正に開放することでパチンコ球を不正に獲得する行為を防止し得るようになっている。
【００２６】
(球排出通路部材について)
前記装飾部材２６の内周端縁(開口上縁部)、すなわち前記庇状部２６ｂの内側には、右端(一端)が前記第２の特別入賞装置２９の入賞口２９ａに連通するよう前記口画成部材３０の下端に連通接続すると共に、左端(他端)が後述する上球通路部８２に連通する球排出通路部材３６が左右方向に延在するように配設されている。この球排出通路部材３６は、左端に向けて下方傾斜すると共に後方に偏倚するように延在し(図７,図８参照)、前記透明板１８の後端より後側に臨む左端部において後側に向けて球出口３６ａが開口するよう構成される(図２０参照)。球排出通路部材３６は、図６に示す如く、後方に開口する樋状本体３８と、該樋状本体３８の後部開口を閉塞する後壁３９とから構成されて、樋状本体３８の左端部に、後壁３９で閉塞されない前記球出口３６ａが形成される。また、球排出通路部材３６は透明な(光透過性の)合成樹脂材から形成されると共に、図２および図５に示す如く、前記窓口２６ａ内に臨んで前側から視認可能な位置に設けられ、前記入賞口２９ａに入賞したパチンコ球が球排出通路部材３６に内部画成される上球通路３６ｂを流下する様子を前側(遊技者)から視認し得るよう構成される。なお、樋状本体３８の左端部には、前記球出口３６ａに対応する位置に外方に延する蓋部３８ａが設けられ、該蓋部３８ａによって上球通路部８２の後述する球入口８２ｂを部分的に閉塞するようになっている。
【００２７】
前記球排出通路部材３６の右端部は、前記開閉部材２９ｂを開閉作動する駆動手段３１における連繋部材３４の前側に臨んでいる。そして、球排出通路部材３６における連繋部材３４の前側に臨む部位の後壁３９に、該連繋部材３４を前側から視認し得ないようにする目隠し加工が施された目隠し部３９ａが設けられている。目隠し部３９ａに施される目隠し加工としては、梨子地加工、不透明なシールの貼付、不透明な塗料の塗布等、各種の加工を採用し得る。なお、前記球排出通路部材３６は、後述する左可動体５１の前側に臨むよう位置決めされると共に、該左可動体５１と前後に重なる部分は目隠し加工は施されておらず、該球排出通路部材３６を透して左可動体５１を前側から視認し得るよう構成してある(図５参照)。
【００２８】
(装飾部材の可動演出装置について)
前記装飾部材２６には、前記第２の特別入賞装置２９の配設位置より右側の庇部２６ｂの下側に、図２に示す如く、上下方向に揺動可能な上可動体４０ａを備えた上可動演出装置４０が配設されており、前記図柄表示装置１３で行なわれる図柄変動ゲームに合わせて上可動体４０ａを作動させることで、遊技の興趣を向上するよう構成してある。前記上可動体４０ａには、照明装置が内蔵されており、該上可動体４０ａの前面は照明装置によって裏側から照明されるようになっている。また装飾部材２６における右下部には、回転する右下可動体４１ａを備えた右下可動演出装置４１が配設されており、前記図柄表示装置１３で行なわれる図柄変動ゲームに合わせて右下可動体４１ａを回転させることで、遊技の興趣を向上するよう構成してある。なお、右下可動演出装置４１も右下可動体４１ａを裏側から照明する照明装置を備えており、上可動演出装置４０および右下可動演出装置４１の各照明装置は、制御手段からの制御信号に基づいて制御されて発光演出を行なうよう構成される。
【００２９】
(裏ユニットについて)
前記裏ユニット１９は、図３に示すように、前方に開口する矩形箱状に形成された箱状本体４２と、該箱状本体４２の開口前端部に形成されて当該箱状本体４２の開口外側へ延出し、前記透明板１８の裏面に当接する取付部４３とから構成される。箱状本体４２は、前記透明板１８に対向する矩形板状に形成された対向面部(後壁)４４と、該対向面部４４における上下左右の各縁部から前方に延出する画壁部４５ａ,４５ｂ,４５ｃ,４５ｄとから前方に開口するよう形成されて、各画壁部４５ａ,４５ｂ,４５ｃ,４５ｄの前端部から箱状本体４２の開口外側へ向けて延出するよう前記取付部４３が形成されている。そして、取付部４３の前面を透明板１８の裏面に当接した状態で、ネジを介して透明板１８に裏ユニット１９が着脱自在に固定される。
【００３０】
前記対向面部４４に、上下および左右幅の大部分が開口する大型の前記開口部１９ａが形成されており、以下の説明において、対向面部４４における開口部１９ａに対する上下左右に位置する部分について、上対向面部４４ａ、下対向面部４４ｂ、左対向面部４４ｃ、右対向面部４４ｄと夫々指称し、該上下左右の対向面部４４ａ,４４ｂ,４４ｃ,４４ｄに対応する画壁部を、上画壁部４５ａ、下画壁部４５ｂ、左画壁部４５ｃ、右画壁部４５ｄと夫々指称するものとする。
【００３１】
前記透明板１８の裏側に裏ユニット１９を取付けた状態で、該裏ユニット１９の対向面部４４と透明板１８との間に所要の空間が画成され、前記対向面部４４に設けられる前記可動演出装置４６,４７,４８や発光装置４９,５０が該空間に臨むよう構成される。実施例では、図３に示す如く、下対向面部４４ｂに下可動演出装置４６が配設され、左対向面部４４ｃに左可動演出装置４７が配設され、右対向面部４４ｄに右可動演出装置４８が配設される。また左対向面部４４ｃには、前記左可動演出装置４７の前側に臨むように側部発光装置(発光装置)４９が配設されると共に、下対向面部４４ｄには、下可動演出装置４６の前側に臨むように下部発光装置５０,５０が配設されている(図１０参照)。
【００３２】
(下可動演出装置について)
前記裏ユニット１９の下対向面部４４ｂに配設される下可動演出装置４６は、図３また図１０に示す如く、下対向面部４４ｂに対して左右方向に回動自在に配設された一対の下可動体(可動体)４６ａ,４６ａと、両下可動体４６ａ,４６ａを相互に反対方向に揺動するよう駆動する下駆動機構４６ｂとを備え、下駆動機構４６ｂによって両下可動体４６ａ,４６ａは、前記図柄表示装置１３における表示部の前側に臨む作動位置と該表示部の前側から退避する待機位置との間を揺動するよう構成される。両下可動体４６ａ,４６ａは、何れも作動位置において前記窓口２６ａの下端縁部から図柄表示装置１３における表示部の略中央部まで延出する大型のものであって、両下可動体４６ａ,４６ａが表示部中央で合体することで一つの意匠を構成するようになっている。左側の下可動体４６ａは、作動位置から左側に傾動した待機位置において、左対向面部４４ｃおよび下対向面部４４ｂと側部発光装置４９および左側の下部発光装置５０との間に画成される第１空間Ｓ１に収容され、また右側の下可動体４６ａは、作動位置から右側に傾動した待機位置において、右対向面部４４ｄおよび下対向面部４４ｂと右可動演出装置４８および右側の下部発光装置５０との間に画成される第２空間Ｓ２に収容されるよう構成してある(図１０参照)。
【００３３】
(左可動演出装置について)
前記裏ユニット１９の左対向面部(設置部)４４ｃに配設される左可動演出装置４７は、図９または図１２に示す如く、左対向面部４４ｃに沿って斜め上下方向に移動自在な左可動体(可動体)５１と、該左可動体５１を駆動する左駆動機構(駆動手段)５２とを備え、該左駆動機構５２によって左可動体５１は斜め上下方向に往復移動するよう構成される。左可動体５１は、図２に示す如く、前記装飾部材２６における左上隅部の後側に臨むように位置決めされて、一部が前記球排出通路部材３６および後述する上球通路部８２の後方において窓口２６ａ内に臨んでいる。また左可動体５１は、装飾部材２６の前記透明部分２６ｃを挟んで該装飾部材２６の外側で前記第２の特別入賞装置２９の左側方に臨む透明板１９の可視部(この可視部を特に区別する場合は第１の可視部５３ａと指称する)の後方にも臨んでおり(図５参照)、当該左可動体５１は、球排出通路部材３６、上球通路部８２、装飾部材２６の透明部分２６ｃおよび透明板１８の第１の可視部５３ａを透して前側から視認し得るよう構成される。
【００３４】
前記左可動体５１は、図９,図１２,図１３等に示す如く、矛状に形成されて、その先端を斜め上向きの姿勢で配設され、その先端部分が前記第１の可視部５３ａの後側において第２の特別入賞装置２９を向くようになっている。すなわち、左可動体５１が斜め上下方向に移動することで、左可動体５１の先端部が第２の特別入賞装置２９に対して近接・離間移動する状態が、第１の可視部５３ａを透して遊技者から視認できるようになっており、遊技者の関心を第２の特別入賞装置２９に向けさせ得るよう構成される。なお、左可動体５１は、左対向面部４４ｃ(遊技盤１７の盤面となる透明板１８の板面)に沿って移動することで、前後方向には変位しないように構成されて、前記上球通路部８２や球排出通路部材３６と干渉することはない。
【００３５】
前記左可動演出装置４７は、図１２に示す如く、前記左可動体５１および左駆動機構５２を、金属製の板金からなる取付部材５４に配設してユニット化されて、該取付部材５４を介して左対向面部４４ｃに着脱自在に配設される。取付部材５４の前面には、該取付部材５４の前面から離間した位置で左可動体５１を摺動自在に支持する支持部材５４ａが配設されると共に(図８参照)、左駆動機構５２を構成するモータ５２ａが配設される。モータ５２ａにより回転駆動される駆動ギヤに噛合する従動ギヤ５５が取付部材５４に回動自在に軸支されており、該従動ギヤ５５に一体的に設けたアーム５５ａが、左可動体５１に配設した連繋部５１ａに連繋されている。そして、モータ５２ａの駆動により従動ギヤ５５を正転および逆転することで、左可動体５１は支持部材５４ａに沿って往復移動するよう構成される。
【００３６】
(左可動演出装置の配線構造について)
前記左可動体５１は、図１７および図１８に示す如く、後方に開口する光透過性のカバー体５６と、該カバー体５６の裏側に配設され、前面に複数のＬＥＤ(発光体)５７を実装したＬＥＤ基板(電気部品)５８とを備え、ＬＥＤ５７を発光することでカバー体５６を裏側から照明し得るよう構成される。カバー体５６は、主カバー部５９と、該主カバー部５９における長手方向の一端(第２の特別入賞装置２９から離間する側)に配設される副カバー部６０とから構成される。前記ＬＥＤ基板５８における副カバー部６０の裏側に位置する端部裏面に、該副カバー部６０の開放端(主カバー部５９から離間する端)に向けて接続口を開口した第１コネクタ６１が配設されており、該第１コネクタ６１に配線としてのフレキシブルフラットケーブル(以後、単にケーブルと称す)６２の一端が、フラットな面が前後を向く姿勢で差込み接続されている。このケーブル６２は、副カバー部６０の裏面に着脱自在に配設される挟持部材６３と、該副カバー部６０における開放端側の壁部６０ａとによって第１コネクタ６１との接続部近傍が挟持されて(図１５参照)、該ケーブル６２が第１コネクタ６１から簡単には抜けないよう構成される。
【００３７】
前記左対向面部４４ｃには、前記左可動体５１における副カバー部６０に対し、該左可動体５１による第２の特別入賞装置２９から離間する方向への移動方向側に離間する位置に、図１２および図１３に示す如く、前記左画壁部４５ｃ側に開口するコ字状の基板装着部６４が突設されて、該基板装置部６４および左画壁部４５ｃによって周縁部が位置規制された状態で図示しない制御手段に接続する中継基板(基板)６５が配設される。この中継基板６５の前面には、前記副カバー部６０の開放端縁に向けて接続口を開口した第２コネクタ６６が配設されており、該第２コクネタ６６に前記ケーブル６２の他端が差込み接続されている。なお、前記左可動演出装置４７の取付部材５４および支持部材５４ａを介して左対向面部４４ｃに配設される左可動体５１におけるＬＥＤ基板５８の第１コネクタ６１と、左対向面部４４ｃに直に配設される中継基板６５の第２コネクタ６６とは、図１５および図１６に示す如く、前後方向に偏倚しているが、正面視においては両コネクタ６１,６６の接続口は左可動体５１の往復移動方向に整列しており、第１コクネタ６１と第２コネクタ６６との間においてケーブル６２は、正面視においては左可動体５１の往復移動方向に略沿って引き回されるようになっている。
【００３８】
前記基板装着部６４の上辺(保持部)６４ａの上側(外側)には、図１２に示す如く、左右方向(横方向)に離間して一対の固定部６７,６７が突設されており、両固定部６７,６７に前側から配線ガイド６８が着脱自在に配設される。配線ガイド６８は、前記上辺６４ａと平行に延在する本体部６８ａと、該本体部６８ａの裏面(左対向面部４４ｃと対向する面)において左右方向に離間して突設されて各固定部６７に係合可能な一対の被固定部６８ｂ,６８ｂとを備え、両被固定部６８ｂ,６８ｂを対応する固定部６７,６７に係合した状態で、被固定部６８ｂおよび本体部６８ａに形成した通孔６８ｃに挿通したネジを対応する固定部６７に螺設したネジ孔６７ａに螺挿することで、当該配線ガイド６８が固定部６７,６７(左対向面部４４ｃ)に固定されるようになっている。一対の固定部６７,６７および被固定部６８ｂ,６８ｂの離間寸法は、前記ケーブル６２のフラット面に沿う横幅寸法より大きく設定されて、両固定部６７,６７に係合している一対の被固定部６８ｂ,６８ｂの間をケーブル６２が挿通されるよう構成してある(図１４参照)。また配線ガイド６８における本体部６８ａは、図１５に示す如く、前記基板装着部６４の上辺６４ａの前面にケーブル６２を挟んで対向して、該ケーブル６２における第２コネクタ６６との接続部近傍を挟持し、ケーブル６２が第２コネクタ６６から簡単には抜けないよう構成される。
【００３９】
前記固定部６７は、下端側が前記上辺６４ａに接するよう円筒状に形成されるのに対し、該固定部６７に係合する被固定部６８ｂは、固定部６７に外嵌可能な後方に開口する円筒体を下側半分だけを切欠いた半円筒状に形成されている(図１７参照)。そして、被固定部６８ｂを固定部６７に係合した状態で、被固定部６８ｂの下側半分を切欠くことで形成された本体部６８ａのフラット部分(図１６参照)で、前記ケーブル６２を上辺６４ａとの間で挟持するよう構成される。
【００４０】
前記左対向面部４４ｃにおける固定部６７,６７の形成位置より上側(左可動体５１側)には、前記ケーブル６２の引き回し経路上において、前記上辺６４ａと平行に延在するリブ６９が突設されている。このリブ６９の左右方向の長さ寸法は、ケーブル６２の横幅寸法より長く設定されると共に、該リブ６９の左対向面部４４ｃからの突出寸法は、固定部６７の突出寸法より低く設定されて、図１５に示す如く、配線ガイド６８の本体部６８ａとリブ６９との間にケーブル６２を挿通可能なスリット状の開口７０を画成するよう構成される。またリブ６９は、その下端縁が固定部６７,６７の上端縁から前記被固定部６８ｂにおける壁の厚み寸法だけ離間する位置に臨むように形成されており、前記配線ガイド６８の被固定部６８ｂを固定部６７に係合した状態で、該配線ガイド６８の上側への移動をリブ６９で規制するよう構成されている(図１６参照)。すなわち、被固定部６８ｂが固定部６７とリブ６９との間に挿入されることで、固定部６７のネジ孔６７ａに被固定部６８ｂの通孔６８ｃが整合する位置に配線ガイド６８が位置決めされて、該配線ガイド６８のネジ止め固定を容易に行ない得るようになっている。
【００４１】
(右可動演出装置について)
前記裏ユニット１９の右対向面部４４ｄに配設される前記右可動演出装置４８は、右対向面部４４ｄに対して左右方向に回動自在に配設された右可動体４８ａと、該右可動体４８ａを左右方向に揺動するよう駆動する右駆動機構４８ｂとを備え、右駆動機構４８ｂによって右可動体４８ａは、前記図柄表示装置１３における表示部の前側に臨む作動位置と該表示部の前側から退避する待機位置との間を揺動するよう構成される。右可動体４８ａは、作動位置において前記窓口２６ａの右端縁部から図柄表示装置１３における表示部の略中央部まで延出する大型のものであって、前記下可動体４６ａ,４６ａと干渉することがないように、下可動体４６ａ,４６ａの移動経路より前側を揺動するよう構成される。右可動体４８ａには、照明装置が内蔵されており、該右可動体４８ａの前面は照明装置によって裏側から照明されるようになっている。
【００４２】
(側部発光装置について)
前記左可動演出装置４７の前側に配設される前記側部発光装置４９は、図１９に示す如く、前面に複数のＬＥＤ(発光体)７１を実装した発光基板７２と、該発光基板７２が収容される基板ケース７３を備える。基板ケース７３は、非光透過性の合成樹脂材から形成されたものであって、平板状の本体板７４の外周縁に前側に突出するよう壁部７５を形成した前方に開口する箱状に形成されて、その前端には光透過性の合成樹脂材から形成された装飾板７６が配設されて(図８,図１０,図１１参照)、発光基板７２の前側を覆うようになっている。基板ケース７３は、前記裏ユニット１９における左対向面部４４ｃの上下方向の全長に亘って延在すると共に、その上端部は上対向面部４４ａにおける左端部の前側まで延在するように配置されて、前記装飾部材２６の外側における遊技領域１８ａの左側方および左上隅部の透明板１８における可視部(この可視部を特に区別する場合は第２の可視部５３ｂと指称する)の裏側に臨んで、該透明板１８を透して装飾板７６を視認可能に構成される。そして、前記ＬＥＤ７１から前方(第２の可視部５３ｂ)に向けて光を照射することで、裏側から照明された装飾板７６が透明板１８を透して前側から視認されるようになっている。なお、装飾板７６には、パチンコ機１０のモチーフとなる各種の図柄が描かれており、装飾板７６が裏側から照明されることによって発光による演出効果が向上する。また基板ケース７３は、前記ＬＥＤ７１から照射されて装飾板７６で反射した光を反射するリフレクタとしても機能し、前記壁部７５で囲われた前方開口部分(装飾板７６)を効率的に照明し得るようになっている。
【００４３】
前記基板ケース７３は、左対向面部４４ｃの複数箇所において前方に向けて突設された突出部７７の前端に本体板７４がネジ止め固定されて、該本体板７４(基板ケース７３)の裏面は、図８および図１１に示す如く、左対向面部４４ｃおよび上対向面部４４ａから前側に離間して、両対向面部４４ａ,４４ｃとの間に、前記左可動演出装置４７の設置空間および前記左側の下可動体４６ａが収容される第１空間Ｓ１を画成するよう構成される。また基板ケース７３の本体板７４には、前記発光基板７２を固定するためのネジ孔７８ａを形成したボス部７８が、複数箇所において後方に延出するように形成されている。そして、発光基板７２の裏面を本体板７４の前面に当接した状態で、各ボス部７８に対応する位置において発光基板７２に形成した通孔７２ａに前側から挿通したネジ７９を対応するボス部７８のネジ孔７８ａに螺挿することで、当該発光基板７２が本体板７４に位置決め固定される。
【００４４】
ここで、前記側部発光装置４９の上部における右端縁は、図５に示す如く、前記第２の特別入賞装置２９の左側方において装飾部材２６の透明部分２６ｃより上方に臨むよう設定されており、前記左可動体５１は、該側部発光装置４９の上部右端縁より左側に臨む前記第１の可視部５３ａにおいて前側から視認可能に構成される。すなわち、実施例において左可動体５１は、側部発光装置４９と一部が前後方向に離間して重なるように位置決めされて、該左可動体５１の動作によって前側から視認可能な部位が変化するよう構成される。
【００４５】
(球通路部について)
前記基板ケース７３の裏面には、図２０に示す如く、上端部において前記球排出通路部材３６に連通接続すると共に、下端部において後述する下球通路部８４に連通接続する球通路部材８０が配設されている。この球通路部材８０は、基板ケース７３の本体板７４における左側端縁(装飾部材２６から離間する側端縁)に沿って上下方向に延在する縦球通路部８１と、該縦球通路部８１の上端に連設されて右方向(装飾部材２６側)に向けて斜め上方に傾斜するように延在する上球通路部８２とから構成される(図９参照)。球通路部材８０は、図１９に示す如く、前側に開口する樋状に形成されて、該球通路部材８０を基板ケース７３に配設することで、本体板７４の裏面と縦球通路部８１との間に上下方向に延在する縦球通路(球通路)８１ａが画成されると共に、本体板７４の裏面と上球通路部８２との間に上球通路８２ａが画成される。そして、基板ケース７３を前記裏ユニット１９に配設した状態では、前記縦球通路部８１が図９に示すように前記左画壁部４５ｃに沿って延在し、縦球通路部８１と装飾部材２６との間における本体板７４(基板ケース７３)の裏面と裏ユニット１９の左対向面部４４ｃとの間に、前記左側の下可動体４６ａを収容可能な前記第１空間Ｓ１が画成されるようになっている。
【００４６】
前記上球通路部８２は、右端部が基板ケース７３の右端縁から所定長さだけ延出し(図８,図１９参照)、この延出部分において前側に開口する球入口８２ｂが形成されて、該球入口８２ｂが、前記球排出通路部材３６における左端部において後側に開口する球出口３６ａに連通するよう構成される。すなわち、前記縦球通路部８１の縦球通路８１ａは、上球通路部８２の上球通路８２ａおよび球排出通路部材３６の上球通路３６ｂを介して前記第２の特別入賞装置２９の入賞口２９ａに連通するよう構成されている。なお、上球通路部８２の球入口８２ｂの開口寸法は、球排出通路部材３６の球出口３６ａの開口寸法より大きく設定されて、該球出口３６ａから球入口８２ｂへのパチンコ球の流通を円滑に行ない得ると共に組付け誤差にも対応し得るようにしてある。なお、前述したように球排出通路部材３６の樋状本体３８には蓋部３８ａが設けられて、球出口３６ａの外側に臨む球入口８２ｂを該蓋部３８ａで塞ぐことで(図２０参照)、パチンコ球の飛出しや通路内へのゴミ等の侵入を防止するよう構成される。上球通路部８２における基板ケース７３からの延出部分は、図５に示す如く、前記装飾部材２６における透明部分２６ｃの後側に臨んでいる。また、球通路部材８０は透明な合成樹脂材から形成されており、上球通路部８２における基板ケース７３からの延出部分においては、後側に臨む前記左可動体５１を装飾部材２６の透明部分２６ｃおよび該上球通路部８２の延出部分を透して前側から視認し得るよう構成される。
【００４７】
前記球通路部材８０における縦球通路部８１の下端には、下方に開口する球出口８１ｂが形成されている。また縦球通路部８１の下端部裏側には、後方に向けて突出する被係合部８３が設けられている。なお、前記本体板７４における前記縦球通路８１ａに臨む位置において、前記ボス部７８が縦球通路８１ａ内にパチンコ球が接触可能に突出しており(図８参照)、縦球通路８１ａを流下するパチンコ球がボス部７８に接触することで球の勢いを弱めることができるように構成される。
【００４８】
(下球通路部について)
前記裏ユニット１９における箱状本体４２の左下隅部には、図３,図９に示す如く、左画壁部(側壁)４５ｃおよび下画壁部(下壁)４５ｂの内面に沿って延在するよう屈曲形成された下球通路部８４が配設される。この下球通路部８４は、上端に上方に開口する球入口８４ａを有し、該球入口８４ａが前記縦球通路部８１の球出口８１ｂに連通するよう接続される。また下球通路部８４の下端には、裏ユニット１９の下端部から下方に開口する球排出口８４ｂが形成されて、該球排出口８４ｂは、前記中枠１２に形成された前記球回収部の上方で開口するよう構成されており、該下球通路部８４に内部画成される下球通路８４ｃを通過したパチンコ球を球回収部に落下させるようになっている。
【００４９】
前記下球通路部８４の上端には、前記縦球通路部８１の被係合部８３が前側から挿脱自在に係合される係合部８５が設けられており(図１２参照)、前記基板ケース７３を前記突出部７７を介して左対向面部４４ｃに取付ける際に、被係合部８３が係合部８５に係合して、縦球通路部８１の球出口８１ｂと下球通路部８４の球入口８４ａとが整合するよう構成される。
【００５０】
(下部発光装置について)
前記裏ユニット１９の下対向面部４４ｂには、図１０に示す如く、左右方向に離間して２基の前記下部発光装置５０が配設されている。両下部発光装置５０,５０は、図７に示す如く、前記装飾部材２６におけるステージ２７の下方でかつ始動入賞装置２３の左右両側に位置すると共に、前方および上方に向けて光を照射する複数のＬＥＤを備えている。そして、両下部発光装置５０,５０のＬＥＤを発光することで、始動入賞装置２３の左右両側を裏側から照明すると共に、ステージ２７を下側から照明するよう構成される。また両下部発光装置５０,５０は、下対向面部４４ｂの前面から前側に所定間隔離間した位置に配置されて、該下部発光装置５０,５０の裏面と下対向面部４４ｂの前面との間に、前記下可動体４６ａ,４６ａが収容可能な前記第１空間Ｓ１および第２空間Ｓ２が画成されるよう構成してある。すなわち、左側の下可動体４６ａは、待機位置において下対向面部４４ｂおよび左対向面部４４ｃと、下部発光装置５０および側部発光装置４９との間に画成される第１空間Ｓ１に収容され、右側の下可動体４６ａは、待機位置において下対向面部４４ｂおよび右対向面部４４ｄと、下部発光装置５０および右可動演出装置４８との間に画成される第２空間Ｓ２に収容される。
【００５１】
〔実施例の作用〕
次に、前述した実施例に係るパチンコ機の作用につき説明する。
【００５２】
前記遊技領域１８ａに打ち出されたパチンコ球は、前記装飾部材２６の外周囲を流下し、該パチンコ球が前記球導入部２８に通入すると、該パチンコ球は前記ステージ２７に通出され、該ステージ２７を左右に転動した後に遊技領域１８ａに排出され、このパチンコ球は始動入賞装置２３や普通入賞装置２５等に入賞可能となる。そして、始動入賞装置２３にパチンコ球が入賞すると、前記図柄表示装置１３の図柄が変動開始され、所要の図柄組合わせゲームが展開される。前記図柄表示装置１３で展開される図柄変動ゲームの結果、図柄表示装置１３に所定の図柄組合わせで図柄が停止表示されたときに大当りが発生する。そして、大当りが発生すると、図柄表示装置１３に表示された図柄組み合わせに応じて、前記遊技盤１７の下方に設けられた第１の特別入賞装置２４および前記装飾部材２６の上部左側位置に設けられた第２の特別入賞装置２９の何れかの入賞口２４ａ,２９ａが開放される。このように、大当りの発生時に入賞口２４ａ,２９ａが開放する特別入賞装置２４,２９を２つ設けたことで、遊技演出の多様化が図られる。
【００５３】
前記第２の特別入賞装置２９の開閉部材２９ｂが開放すると、遊技盤１７の遊技領域１８ａに打ち出されたパチンコ球が該第２の特別入賞装置２９の入賞口２９ａに入賞し得るようになる。第２の特別入賞装置２９の入賞口２９ａに入賞したパチンコ球が前記口画成部材３０に配設した球検出センサ３２に検出されると、前記上球受け皿１６や下球受け皿１５に所定数のパチンコ球が賞球として払い出される。また、口画成部材３０に接続する前記球排出通路部材３６は、図２および図５に示す如く、前記装飾部材２６の窓口２６ａ内に臨むと共に透明に形成されているので、遊技者は多くの賞球を獲得し得る入賞口２９ａに入賞したパチンコ球が球排出通路部材３６を流下する様を前側から視認し得るから、遊技者の遊技に対する優越感や昂揚感を高めることができる。
【００５４】
前記球排出通路部材３６は、前述したようにパチンコ球の流下する様を遊技者に視認させることで遊技の興趣の向上に寄与し得るものではあるが、該球排出通路部材３６が透明であるがために、球排出通路部材３６の後側に位置する前記駆動手段３１が前側から透して見えてしまうことで興ざめするおそれがある。しかるに、実施例では、球排出通路部材３６を構成する後壁３９における駆動手段３１の前記連繋部材３４の前側面に臨む部位に、目隠し加工を施した目隠し部３９ａを形成してあるから、連繋部材３４が前側から視認されることはなく、駆動手段３１が前側から視認されることでの遊技の興趣の低下を抑制し得る。また、駆動手段３１を前側から視認できないようにするために前記窓口２６ａを小さくして球排出通路部材３６の後側に該駆動手段３１が重ならないようにする必要はなく、大型の図柄表示装置１３を採用することができる。なお、目隠し部３９ａは後壁３９にのみ形成されているから、該目隠し部３９ａによって上球通路３６ｂを流れるパチンコ球が前側から視認されなくなることはない。
【００５５】
前記第２の特別入賞装置２９は、装飾部材２６の左上部位置に設けられていることから、該第２の特別入賞装置２９の入賞口２９ａが開放された状態では遊技領域１８ａの左上部に打ち出されたパチンコ球が入賞し易く、短時間で多数のパチンコ球が第２の特別入賞装置２９に入賞する。このため、第２の特別入賞装置２９は、不正行為を意図している不正遊技者がピアノ線やその他の道具を用いた不正行為で狙われ易い部位である。しかるに、実施例では開閉部材２９ｂを開閉作動する駆動手段３１における連繋部材３４と開閉部材２９ｂの連繋ピンとの連繋構造を、前記ソレノイド３３の非励磁状態での開閉部材２９ｂの不正開放を規制するよう構成してあるから、不正行為による賞球の獲得を防止することができる。そして、このように不正行為を防止するための対策を施した連繋部材３４は、不正対策を施していない連繋部材より大型化するが、前述したように球排出通路部材３４の目隠し部３９ａによって大型化した連繋部材３４が前側から視認されることはないから、不正行為を防止しつつ遊技の興趣の低下を防ぐことができる。
【００５６】
前記図柄表示装置１３で展開される図柄変動ゲームの演出に応じて、前記可動演出装置４０,４１,４６,４７,４８の各可動体４０ａ,４１ａ,４６ａ,４６ａ,５１,４８ａが作動されて動的な演出により遊技の興趣が高められる。また、側部発光装置４９や下部発光装置５０および遊技盤１７に配設されている他の各種照明装置等も、図柄変動ゲームの演出に応じて発光されて、発光による演出により遊技の興趣が向上される。特に前記左可動演出装置４７の左可動体５１は、図５に示す如く、前記球排出通路部材３６、装飾部材２６の透明部分２６ｃおよび第２の特別入賞装置２９の左側に設けられた前記第１の可視部５３ａを透して前側から視認可能に構成されているから、球排出通路部材３６の上球通路３６ｂを流れるパチンコ球と左可動体５１とが前後に重なった状態で該左可動体５１が動作することで、演出効果が相乗的に高められる。しかも、左可動体５１は、先端部が第２の特別入賞装置２９に対して近接・離間するよう往復移動するよう構成してあるから、該左可動体５１の往復移動によって第２の特別入賞装置２９に対する注目度を高めることができると共に、遊技者に注意を喚起することができる。従って、例えば、遊技の内容を把握していない遊技者であっても、左可動体５１の動作によって第２の特別入賞装置２９の開放状態等を遊技者が見逃すのを防ぐことができ、遊技者が遊技に対して不満を持つのを抑制し得る。
【００５７】
また、前記第２の特別入賞装置２９における駆動手段３１を縦向き姿勢で配置することで、第２の特別入賞装置２９の側方(実施例では左側方)に前記左可動体５１を、駆動手段３１に干渉することなく近接して配置することができる。更に、第２の特別入賞装置２９の側方に近接して前記第１の可視部５３ａを設けても、該第１の可視部５３ａと駆動手段３１とが前後に重なることはなく、該第１の可視部５３ａを透して左可動体５１を第２の特別入賞装置２９に近接した位置において前側から視認させることで、該第２の特別入賞装置２９の注目度を高めると共に遊技の興趣を向上し得る。すなわち、駆動手段３１を横向き姿勢で配置する場合は、第２の特別入賞装置２９における開閉部材２９ｂの後側において駆動手段３１が占める左右方向の寸法が長くなり、該駆動手段３１と干渉したり前側から透して視認されることがないように第２の特別入賞装置２９から離間して左可動体５１や第１の可視部５３ａを設けなければならない場合に比べて、実施例では左可動体５１および第１の可視部５３ａを第２の特別入賞装置２９に近接して設けることができるものである。
【００５８】
前記球排出通路部材３６に上球通路部８２を介して連通する縦球通路部８１は、前記基板ケース７３における装飾部材２６から離間する左側端縁に沿って上下方向に延在するように配設したから、装飾部材２６の裏側において下可動体４６ａを収容可能な広い第１空間Ｓ１を画成することができる。従って、下可動体４６ａとして大型の可動体を採用して、該下可動体４６ａを図柄表示装置１３の表示部の前側に臨む作動位置と、表示部の前側から退避して装飾部材２６の裏側に臨む退避位置との間で下可動体４６ａを大きく移動させることができ、インパクトのある演出を行なうことができる。すなわち、前記第２の特別入賞装置２９の入賞口２９ａに入賞したパチンコ球を球回収部に排出するための球通路部によって可動体の移動範囲、寸法および配設位置等の設計の自由度が低下するのを抑制し得、興趣の高いパチンコ機１０を提供できる。また、縦球通路部８１の下端に接続する下球通路部８４は、裏ユニット１９における左下隅部において左画壁部４５ｃおよび下画壁部４５ｂに沿うように屈曲形成されているから(図９参照)、左画壁部４５ｃの右側方(装飾部材２６側)および下画壁部４５ｂの上方(装飾部材２６側)により広い第１空間Ｓ１を確保することができ、前記下可動体４６ａの移動範囲や寸法をより大きくし得る。
【００５９】
前記基板ケース７３と球通路部材８０とで上球通路８２ａや縦球通路８１ａを画成するよう構成したから、球通路部材のみで球通路を画成する場合に比べ、基板ケース７３の裏面からの球通路部材８０の突出寸法を抑制し得る。すなわち、前記左対向面部４４ｃと球通路部材８０との間の離間寸法(第１空間Ｓ１の奥行き寸法)を、パチンコ機自体の前後寸法を増やすことなく大きく確保することができる。これにより、第１空間Ｓ１に収容される下可動体４６ａとして、内部に照明装置を配設したり各種の装飾を施すことで前後寸法が大きくなった可動体を余裕を持って収容することができ、下可動体４６ａによる演出効果を向上し得る。
【００６０】
ここで、前記装飾部材２６に配設される前記球排出通路部材３６と、前記裏ユニット１９に配設される上球通路部８２とは、係合手段等を介して連結する構造を採用しておらず、前記透明板１８の裏側に裏ユニット１９を取付けたときに球排出通路部材３６における球出口３６ａの後側に上球通路部８２の球入口８２ｂが連通するように臨むよう構成されている(図２０参照)。この場合に、上球通路部８２の球入口８２ｂの開口寸法を、球排出通路部材３６の球出口３６ａの開口寸法より大きく設定してあるから、裏ユニット１９に対する側部発光装置４９の組付け誤差や、透明板１８に対する装飾部材２６の組付け誤差等によって前記上球通路部８２と球排出通路部材３６とが許容範囲で位置ずれしていても球出口３６ａと球入口８２ｂとを確実に連通して、球排出通路部材３６から上球通路部８２へのパチンコ球の流通を円滑に行なうことができ、球詰り等の発生を防止し得る。また、球排出通路部材３６と上球通路部８２とを係合手段等によって連結して球出口３６ａと球入口８２ｂとを強制的に整合させる必要はないから、組付け誤差が生じている場合において係合手段等によって球出口３６ａと球入口８２ｂとを無理矢理整合させることで球排出通路部材３６や上球通路部８２が変形してパチンコ球の流れを阻害する等の不具合の発生を防止することができる。なお、開口寸法が大きな球入口８２ｂに対して開口寸法が小さな球出口３６ａが連通するように前後に臨む状態で、球入口８２ｂにおける球出口３６ａの外側にはみ出している部分は、前記樋状本体３８の蓋部３８ａにより前側から塞がれ、パチンコ球が球入口８２ｂから飛出したり、該球入口８２ｂから上球通路８２ａ内にゴミ等が侵入するのを防止し得る。
【００６１】
前記縦球通路部８１は、被係合部８３を下球通路部８４の係合部８５に係合することで該縦球通路部８１の球出口８１ｂと下球通路部８４の球入口８４ａとは確実に連通する状態に保持される。従って、縦球通路部８１から下球通路部８４へのパチンコ球の流通は円滑になされ、球通路内での球詰りの発生を防止し得る。
【００６２】
ここで、前記第２の特別入賞装置２９の開閉部材２９ｂが開放した状態では、前述したように短時間で多数のパチンコ球が入賞口２９ａに入賞する。この場合に、略直線的に上下方向に延在する前記縦球通路部８１の縦球通路８１ａを多数のパチンコ球が相互に接触した状態で連なって落下すると、屈曲形状に形成されている前記下球通路部８４の下球通路８４ｃに流入した際に球詰まりを発生するおそれがある。しかるに、実施例では縦球通路８１ａ内に突出するボス部７８が設けられているから、該縦球通路８１ａを落下するパチンコ球がボス部７８に接触して勢いが弱められると共に、上下に連なるパチンコ球の間に隙間を形成することができ、下球通路８４ｃ内において球詰まりが発生するのを防止し得る。しかも、前記ボス部７８は、パチンコ球の勢いを弱めるための専用のものではなく、前記基板ケース７３に対して発光基板７２を固定するネジ７９が螺挿されるものであるから、球通路部材８０にパチンコ球の勢いを弱めるための専用の部分を設ける必要はなく、該球通路部材８０の構成を簡略化し得る。
【００６３】
前記左可動体５１に内蔵の前記ＬＥＤ基板５８の第１コネクタ６１と、前記左対向面部４４ｃの基板装着部６４に配設されている中継基板６５の第２コネクタ６６とに接続されているケーブル６２は、各コネクタ６１,６６に対する差込み部近傍が、図１５に示す如く、副カバー部６０の壁部６０ａと挟持部材６３、および基板装着部６４の上辺６４ａと配線ガイド６８とで夫々挟持されているから、左可動体５１の往復移動に際してケーブル６２がコネクタ６１,６６から抜けるのは防止される。また、ＬＥＤ基板５８と中継基板６５とを接続する配線として、厚みの薄いケーブル６２を採用することで、該ケーブル６２を引き回すために必要となる空間の大きさ(前後寸法)を小さくすることができる。
【００６４】
前記上辺６４ａと配線ガイド６８とで挟持された部位から左可動体５１側に引き回されるケーブル６２は、図１５に示す如く、該配線ガイド６８における一対の被固定部６８ｂ,６８ｂの間を、配線ガイド６８の本体部６８ａと前記リブ６９との間のスリット状の開口７０を通されている。そして、左可動体５１が往復移動する際には、ケーブル６２が屈曲するが、前記リブ６９および配線ガイド６８の本体部６８ａにより屈曲方向が規定されることで、該ケーブル６２が意図しない方向に屈曲するのは規制される。すなわち、前記中継基板６５と左可動体５１とが最も離間した状態から該左可動体５１が中継基板６５に近接するように移動する際には、中継基板６５と左可動体５１(ＬＥＤ基板５８)との間のケーブル６２は、左可動体５１の移動に伴って中継基板側に押され、このときにケーブル６２が前記リブ６９に当接することで左対向面部４４ｃ側に屈曲するのは規制される。そして、左可動体５１の移動に伴って更にケーブル６２が押されて配線ガイド６８の本体部６８ａに当接することで、該ケーブル６２のそれ以上の中継基板側への移動が規制されて、配線ガイド６８と左可動体５１との間に臨むケーブル６２は左対向面部４４ａから離間する方向に凸状に湾曲するよう屈曲する。これにより、左対向面部４４ｃに配設される他の部品にケーブル６２が当接したり引掛かったりすることはなく、左可動体５１の円滑な移動が阻害されるのは防止される。また実施例では、図１５および図１６に示す如く、左可動体５１においてケーブル６２が壁部６０ａと挟持部材６３とで挟持される位置は、該ケーブル６２における前記リブ６９と配線ガイド６８との間の開口７０に通されている位置より前側(左対向面部４４ｃから離間する位置)に臨んでいるから、前述したように左可動体５１が中継基板６５に向けて近接移動する際には、ケーブル６２は左対向面部４４ｃから離間する方向に屈曲し易く、ケーブル６２が左可動体５１や左対向面部４４ｃに配設されている他の部品に接触したり引掛かるのはより抑制される。
【００６５】
また、前記配線ガイド６８とリブ６９と間に形成される開口７０は、フラット面を前後に向けたケーブル６２を挿通可能なスリット状に形成してあるから、左可動体５１が中継基板６５に近接するように移動する際に押されたケーブル６２が、配線ガイド６８の後側(本体部６８ａと左対向面部４４ｃとの間)に押し込まれるのは防止され、ケーブル６２が歪な形状に折曲されて断線する等の事態の発生を防止し得る。更に、ケーブル６２は、配線ガイド６８における一対の被固定部６８ｂ,６８ｂの間に通されているから、該ケーブル６２の横方向の移動は該被固定部６８ｂ,６８ｂで規制され、該ケーブル６２を左対向面部４４ｃから離間する前側へ(意図し方向)へ屈曲させることができる。
【００６６】
前記配線ガイド６８を左対向面部４４ｃに取付ける場合は、先ず前記基板装着部６４に中継基板６５を取付けたもとで、前記一対の固定部６７,６７に前側から被固定部６８ｂ,６８ｂを係合する。このとき、被固定部６８ｂ,６８ｂを前記リブ６９に当接することで、配線ガイド６８は、前記通孔６８ｃ,６８ｃが固定部６７,６７のネジ孔６７ａ,６７ａに整合する位置に位置決めされる。そして、各通孔６８ｃに挿通したネジを対応するネジ孔６７ａに螺挿することで、配線ガイド６８は本体部６８ａを、前記上辺６４ａとの間でケーブル６２を挟持する位置に正確に位置決め固定される。また、リブ６９に被固定部６８ｂ,６８ｂを当接することで、該リブ６９と本体部６８ａとの位置関係も規定通りに確保される。従って、リブ６９および本体部６８ａによって屈曲方向が規定されるケーブル６２は、前述したように左可動体５１の往復移動時に意図した方向に屈曲することとなり、左可動体５１や他の部品に接触したり引掛かるのを防ぐことができる。更に、ケーブル６２の屈曲方向を規定するリブ６９を、配線ガイド６８を左対向面部４４ｃに取付ける際の位置決め手段として兼用したから、左対向面部４４ｃに位置決め専用の手段を設ける必要はなく、構造を簡略化してコストを低廉に抑えることができる。また、配線ガイド６８に位置決め専用の部分を設ける必要もないので、該配線ガイド６８自体の構造も簡略化し得る。
【００６７】
前記配線ガイド６８は、本体部６８ａでケーブル６２の屈曲方向を規定する機能だけでなく、該本体部６８ａでケーブル６２における第１コネクタ６１の接続部近傍を基板装着部６４の上辺６４ａとの間で挟持してケーブル６２の抜け止めとしても機能するよう構成したから、各機能を有する部品を別々に用意する必要はなく、部品点数を低減し得ると共に製造コストも低廉に抑えることができる。また、前記左対向面部４４ｃに対して配線ガイド６８を位置決め固定するための被固定部６８ｂ,６８ｂの間にケーブル６２を通して、該ケーブル６２の横方向の移動を被固定部６８ｂ,６８ｂで規制するよう構成してあるから、ケーブル６２の横方向移動を規制する専用の部品を設ける必要がなく、更に部品点数を低減して製造コストを低く抑制し得る。
【００６８】
(変更例)
本願は前述した実施例の構成に限定されるものではなく、その他の構成を適宜に採用することができる。
(1) 実施例では、遊技盤を透明板と裏ユニットとから構成したが、木製の板部材と裏ユニットとから構成したものであってもよく、この構成においては板部材の後側に位置する可動体や発光装置を前側から視認可能とする可視部として、該板部材に前後に貫通する開口部を形成すればよい。
(2) 実施例では、基板ケースの裏面に配設された縦球通路部の縦球通路と第２の特別入賞装置の入賞口とを、該縦球通路部の上端に一体に形成した上球通路部と、該上球通路部とは別体に構成された球排出通路部材とを介して連通するよう構成したが、上球通路部および球排出通路部材を一体に形成したものであってもよい。
(3) 実施例では、左可動体にＬＥＤを備えたＬＥＤ基板を配設したが、左可動体に配設される電気部品としては、電気的な駆動源により動作する別の可動体、その他のものであってもよい。
(4) 実施例では、装飾部材の左上部に入賞口を設けると共に、該装飾部材の外部左側方に可視部を設け、該可視部の裏側に発光装置や可動体を配設したが、入賞口を装飾部材の右上部に設け、装飾部材の外部右側方に設けた可視部の裏側に実施例とは左右対称な構成で発光装置や可動体を配設する構成を採用し得る。
(5) 可動体の電気部品と外部の基板とを接続する配線は、フレキシブルフラットケーブルに代えて、リード線を採用し得る。
(6) 遊技機としては、パチンコ機に限られるものではなく、アレンジボール機やパチンコ球を用いたスロットマシン等、その他各種の遊技機であってもよい。
【符号の説明】
【００６９】
１３  図柄表示装置
１７  遊技盤
１８  透明板(板部材)
１８ａ  遊技領域
１９  裏ユニット
２６  装飾部材
２６ａ  窓口
２９ａ  入賞口
４４  対向面部(後壁)
４６ａ  下可動体(可動体)
５３ｂ  第２の可視部
７１  ＬＥＤ(発光体)
７２  発光基板
７３  基板ケース
７８  ボス部
７８ａ  ネジ孔
７９  ネジ
８１  縦球通路部
８１ａ  縦球通路(球通路)
８１ｂ  球出口
８２  上球通路部
８３  被係合部
８４  下球通路部
８４ａ  球入口
８４ｃ  下球通路
８５  係合部
Ｓ１  第１空間(空間)
【図１】
0005604084.tif 000002
【図２】
0005604084.tif 000003
【図３】
0005604084.tif 000004
【図４】
0005604084.tif 000005
【図５】
0005604084.tif 000006
【図６】
0005604084.tif 000007
【図７】
0005604084.tif 000008
【図８】
0005604084.tif 000009
【図９】
0005604084.tif 000010
【図１０】
0005604084.tif 000011
【図１１】
0005604084.tif 000012
【図１２】
0005604084.tif 000013
【図１３】
0005604084.tif 000014
【図１４】
0005604084.tif 000015
【図１５】
0005604084.tif 000016
【図１６】
0005604084.tif 000017
【図１７】
0005604084.tif 000018
【図１８】
0005604084.tif 000019
【図１９】
0005604084.tif 000020
【図２０】
0005604084.tif 000021